(57)【特許請求の範囲】
【請求項１】
電話機部及びファクシミリ装置部と、これらを択一的に回線に接続する切替手段と、着信したことを通知する着信通知手段とを有する通信端末装置において、
前記回線を介して発呼側端末からの呼出信号を受信すると、着信応答信号を生成し、該着信応答信号を前記発呼側端末及び前記着信通知手段に出力する着信応答手段と、
前記着信応答手段から前記着信応答信号が出力される前に、前記回線から前記着信応答手段に入力される信号をミュートするミュート手段と
を有する通信端末装置。
【請求項２】
前記着信応答手段は、モデムであることを特徴とする、請求項１記載の通信端末装置。
【発明の詳細な説明】
【技術分野】
【０００１】
本発明は、電話機部及びファクシミリ装置部と、これらを択一的に回線に接続する切替手段とを有する通信端末装置に関する。
【背景技術】
【０００２】
従来、電話機部とファクシミリ装置部とを有する通信端末装置は、回線が一つしかない環境では、電話機部とファクシミリ装置部とを切替手段によって択一的に接続し、音声通信とデータ通信とを切り替えて行う。通信端末装置が、その機能として、電話機部とファクシミリ装置部とを自動的に切り替える自動切替手段を有する場合には、ユーザーの要望に応じて電話機部又はファクシミリ装置部のいずれか一方を優先させることができる。ファクシミリ装置部が優先される場合には、ファクシミリ装置部が発呼側からの呼び出しに応答（着呼）するが、その際、通信端末装置は、発呼側端末に対して音声メッセージを出力すると共に、発呼側から送られてくる発呼識別信号（ＣＮＧ信号）の有無によって、発呼側端末が電話機又はファクシミリ装置のいずれであるのかを識別する。通信端末装置は、発呼側端末が電話機であると識別した場合には、疑似リングバックトーンを発生して発呼側に送出し、これによって発呼側に着呼側の電話機を呼び出していることを擬似的に知らせる。同時に、通信端末装置は、ユーザーに着信があったことを知らせるために、電話機部に具備されたスピーカー等の呼出装置に代わって、疑似ベルを用いて電話機部を鳴動させる。ユーザーが電話機部をオフフックすると、通信端末装置は、このオフフックを検出し、メカリレー等の切替手段によって回線接続をファクシミリ装置部から電話機部に切り替える。電話機部とファクシミリ装置部とを有する従来の通信端末装置は、このような一連の動作により、回線を開放することなく自動的に接続切り替えを行っている。
【０００３】
例えば、特開昭６３−１４８７５０号公報（特許文献１参照。）に開示されているＣＮＧ信号検出による電話機・ファクシミリ切替方式で動作する通信端末装置は、発呼側端末に着呼側が電話機を呼出中である旨を知らせる疑似リングバックトーンを出力するＲＢＴ発生回路（呼出通知手段）と、電話機部への着信を知らせる呼出音をスピーカーから発生させる呼出音発生回路とを有する。
【特許文献１】特開昭６３−１４８７５０号公報
【発明の開示】
【発明が解決しようとする課題】
【０００４】
しかし、従来の通信端末装置は、疑似ベルを用いて電話機部を鳴動させるために、昇圧回路等の付加的な回路を必要とする。これは、疑似ベルを用いて電話機部を鳴動させるためには通常の呼出音相当の電圧が必要とされるにも関わらず、ファクシミリ装置部の電源ユニットで生成される電圧では不十分であることに起因する。
【０００５】
特許文献１に記載された通信端末装置においても、発呼側端末に着呼側が電話機呼出中であることを通知する疑似リングバックトーンのような通知信号を出力するためのＲＢＴ発生回路と、同時に電話機部への着信を知らせる呼出音をスピーカーから発生させる呼出音発生回路とが独立して構成されている。このため、夫々の回路に対して信号生成手段を設ける必要がある上、夫々の回路を制御しなければならないという問題があった。
【０００６】
従って、本発明は、従来技術よりも簡単な構成及び制御で、ファクシミリ装置部が優先されている場合に電話機部を呼び出すことのできる通信端末装置を提供することを目的とする。
【課題を解決するための手段】
【０００７】
上記目的を達成するために、本発明の通信端末装置は、電話機部及びファクシミリ装置部と、これらを択一的に回線に接続する切替手段と、着信したことを通知する着信通知手段とを有する通信端末装置であって、前記回線を介して発呼側端末からの呼出信号を受信すると、着信応答信号を生成する着信応答手段を有し、該着信応答手段で生成された着信応答信号を前記発呼側端末及び前記着信通知手段に出力することを特徴とする。
【０００８】
このように、着信応答信号を従来の疑似リングバックトーンとして用いるだけでなく、ユーザーに着信を知らせるために用いることで、従来技術よりも簡単な構成及び制御であるにも関わらず、ファクシミリ装置部が優先されている場合に電話機部を容易に呼び出すことが可能な通信端末装置を提供することができる。また、従来の通信端末装置で必要とされた電話機部を鳴動させるための昇圧回路のような付加的な回路を削除することができるので、低コストな通信端末装置を提供することができる。
【０００９】
また、上記目的を達成するために、本発明の通信端末装置は、前記着信応答手段から前記着信応答信号が出力される前に、前記回線から前記着信応答手段に入力される信号をミュートするミュート手段を更に有することを特徴とする。
【００１０】
これにより、着信応答信号に対する回線からの入力信号のクロストークを低減することが可能な通信端末装置を提供することができる。
【００１１】
また、上記目的を達成するために、本発明の通信端末装置は、前記着信応答手段がモデムであることを特徴とする。
【００１２】
これにより、更に容易にその構成を簡単化されることが可能な通信端末装置を提供することができる。
【発明の効果】
【００１３】
本発明は、着信応答信号を従来の疑似リングバックトーンとして用いるだけでなく、ユーザーに着信を知らせるために用いることにより、従来技術よりも簡単な構成及び制御であるにも関わらず、ファクシミリ装置部が優先されている場合に電話機部を呼び出すことのできる通信端末装置を提供することを可能とする。
【発明を実施するための最良の形態】
【００１４】
本発明の実施例を、図面を参照して以下で詳細に説明する。
【実施例】
【００１５】
〔構成〕
図１は、本発明による通信端末装置の全体構成の一例を表す図である。
【００１６】
図１において、通信端末装置は、音声及びデータ通信を択一的に行う装置であって、ファクシミリ制御手段１と、着信応答手段２と、信号増幅手段３と、スピーカー４と、直流ループ生成手段５と、回線切替手段６と、電話機部７とを有し、回線８に接続されている。
【００１７】
ファクシミリ制御手段１は、回線８を介して外部端末とデータ通信（所謂、ファクシミリ通信）を行うファクシミリ装置部の一部であり、ファクシミリ装置部の各構成要素を制御する中央演算処理装置（ＣＰＵ）等の制御手段であって、着信信号検出手段９と、ＣＮＧ信号検出手段１０と、電話機オフフック検出手段１１と、タイムカウンタ手段１２とを有する。着信信号検出手段９は、発呼側端末から回線８を介して送られてくる呼出信号を検出する手段である。ＣＮＧ信号検出手段１０は、発呼側端末がファクシミリ装置である場合に発呼側端末から出力される発呼識別信号（ＣＮＧ信号）を検出する手段である。電話機オフフック検出手段１１は、電話機部７がオフフックされたことを検出する手段である。タイムカウンタ手段１２は、ＣＮＧが検出されるまでの所定のＣＮＧ監視時間又は電話機部７がオフフックされるまでの所定のオフフック監視時間を計時する手段である。
【００１８】
着信応答手段２は、発呼側端末からの呼出信号に応じて、発呼側端末に送信信号を出力する手段であって、音声応答出力手段１３と、着信応答信号出力手段１４と、ミュート手段１５とを有する。また、着信応答手段２は、ファクシミリ制御手段１によってその動作を制御される。音声応答出力手段１３は、発呼側端末に対して音声にて所定のメッセージを通知するための音声通知信号を出力する手段である。着信応答信号出力手段１４は、発呼側端末が電話機である場合に発呼側に着呼側の電話機を呼び出していることを擬似的に知らせる着信応答信号を生成し、出力する手段である。ミュート手段１５は、発呼側端末から入力される受信信号及び発呼側端末に出力する送信信号をミュートする手段であり、ファクシミリ制御手段１によってその動作を制御される。発呼側端末は、音声応答出力手段１３によって出力された音声通知信号及び着信応答信号出力手段１４によって出力された着信応答信号が送信される。
【００１９】
信号増幅手段３は、着信応答出力手段２から出力される着信応答信号を増幅する手段である。スピーカー４は、電話機部への着信を通知する着信通知手段であって、信号増幅手段３によって増幅された着信応答信号を呼出音として出力する。直流ループ生成手段５は、ファクシミリ装置部をオン又はオフフックさせる一種のスイッチである。回線切替手段６は、回線８に対してファクシミリ装置部と電話機部７とを択一的に接続するスイッチである。また、直流ループ生成手段５及び回線切替手段６は、ファクシミリ制御手段１によってその動作を制御される。電話機部７は、通信端末装置において、回線８を介して外部端末と音声通信を行うためのモジュールである。
【００２０】
〔動作〕
次に、図２を参照して、ファクシミリ装置部が優先されている場合の発呼側からの呼び出しに対する図１の通信端末装置の動作について説明する。図２は、本発明による通信端末装置の動作の一例を説明するフローチャートである。
【００２１】
発呼側端末から回線８を介して呼出信号が送信されると、通信端末装置は、ステップＳ１において、ファクシミリ制御手段１内の着信信号検出手段９によってその呼出信号を検出する。ファクシミリ制御手段１は、発呼側端末からの呼出信号を検出すると、ステップＳ２において、ファクシミリ装置部を回線８に接続するように、直流ループ生成手段５をオンとして直流ループを生成する。ステップＳ３において、ファクシミリ制御手段１は、内蔵のタイムカウンタ手段１２によって計時を開始する。次に、ステップＳ４において、ファクシミリ制御手段１は、着信応答手段２に対して、例えば「お電話の方はそのままお待ち下さい。ＦＡＸの方はスタートボタンを押してください。」のように、音声にて操作説明を通知するための音声通知信号を発呼側端末へ出力するよう指令する。これを受けて、着信応答手段２は、音声応答出力手段１３により音声通知信号を生成し、発呼側端末に出力する。ステップＳ４と同時に実行されるステップＳ５において、ファクシミリ制御手段１は、発呼側端末から送られてくるＣＮＧ信号の有無をＣＮＧ検出手段１０によって検出する。
【００２２】
ＣＮＧ信号が検出された場合、即ち、発呼側端末がファクシミリ装置である場合には、ステップはＳ６に移り、ファクシミリ制御手段１は、タイムカウンタ手段１２による計時を停止し、更に、着信応答手段２に音声応答出力手段１３からの音声通知信号の出力を停止させる。その後、ステップＳ７において、通信端末装置は、発呼側からのデータをファクシミリ装置部にて受信する。
【００２３】
あるいは、ＣＮＧ信号が検出されない場合、即ち、発呼側端末が電話機である場合には、ステップはＳ５からＳ８に移り、ファクシミリ制御手段１は、タイムカウンタ手段１２によって、ステップＳ３において計時を開始してから所定のＣＮＧ監視時間を経過したか否かを監視する。所定のＣＮＧ監視時間を経過した場合には、ステップはＳ９に移り、経過していない場合には、ステップはＳ５に戻り、再びＣＮＧ信号の検出動作が実行される。
【００２４】
ステップＳ９において、ファクシミリ制御手段１は、タイムカウンタ手段１２による計時を停止し、更に、着信応答手段２に音声応答出力手段１３からの音声通知信号の出力を停止させ、ステップＳ１０において、タイムカウンタ手段１２によって再び計時を開始する。同時に、ステップＳ１１において、ファクシミリ制御手段１は、着信応答手段２に対して、例えば疑似リングバックトーンのような、着呼側の電話機を呼び出していることを擬似的に知らせるための着信応答信号を、発呼側端末及びスピーカー４へ出力するよう指令する。これを受けて、着信応答手段２は、着信応答信号出力手段１４により着信応答信号を生成し、発呼側端末及びスピーカー４に出力する。スピーカー４は、着信応答信号を用いて呼出音を発生させる。その後、ステップＳ１２において、ファクシミリ制御手段１は、電話機部７がオフフックされたか否かを電話機オフフック検出手段１１によって監視する。
【００２５】
電話機部７がオフフックされた場合には、ステップはＳ１３に移り、ファクシミリ制御手段１は、タイムカウンタ手段１２による計時を停止し、更に、着信応答手段２に着信応答信号出力手段１４からの着信応答信号の出力を停止させ、次にステップＳ１４において、電話機部７が回線８に接続されるよう回線切替手段６を切り替える。その後、ステップＳ１５において、通信端末装置は、電話機部７にて発呼側と通話する。
【００２６】
あるいは、電話機部７がオフフックされない場合には、ステップはＳ１２からＳ１６に移り、ファクシミリ制御手段１は、タイムカウンタ手段１２によって、ステップＳ１０において計時を開始してから所定のオフフック監視時間を経過したか否かを監視する。所定のオフフック監視時間を経過した場合には、ステップはＳ１７に移り、経過していない場合には、ステップはＳ１２に戻り、再び電話機部７に対するオフフック監視動作が実行される。
【００２７】
ステップＳ１７において、ファクシミリ制御手段１は、タイムカウンタ手段１２による計時を停止し、更に、着信応答手段２に着信応答信号出力手段１４からの着信応答信号の出力を停止させる。次に、ステップＳ１８において、ファクシミリ制御手段１は、着信応答手段２に対して、例えば、「呼び出しましたが近くにおりません。ＦＡＸに切り替えます。」のような、音声にて電話機部７が応答しなかった旨を通知するための音声通知信号を発呼側端末へ出力するよう指令する。これを受けて、着信応答手段２は、音声応答出力手段１３により音声通知信号を生成し、発呼側端末に出力する。最後に、ステップＳ１９において、通信端末装置は、ファクシミリ装置部によるファクシミリ通信に移行する。
【００２８】
上述したように、本発明の通信端末装置は、発呼側端末に対して着呼側の電話機を呼び出していることを擬似的に知らせるための着信応答信号を、ユーザーに電話機部への着信を知らせるための呼出音としてスピーカーから出力することで、従来よりも構成及び制御を簡単化される。
【００２９】
なお、着信応答手段として、モデム（変復調器）が用いられても良い。
【００３０】
〔信号増幅手段を付加した場合の動作〕
図２を参照して説明した上記動作は、図１の通信端末装置において、信号増幅手段３が用いられない場合又は組み込まれていない場合の動作であった。図３を参照して、信号増幅手段３が用いられた（又は、組み込まれた）場合の動作について説明する。図３は、図２のように動作する通信端末装置に信号増幅手段を付加した場合の動作の一例を説明するフローチャートである。
【００３１】
図１の通信端末装置の動作は、信号増幅手段３を用いない場合と用いた場合とで、図２においてステップＳ１１のみが異なる。残りのステップについては、どちらの場合も同じである。信号増幅手段３を用いる場合には、図２のステップＳ１１は、図３のステップＳ１１−１に置き換えられる。
【００３２】
Ｓ１からＳ１０までのステップによって発呼側端末が電話機であることが検出された後、ステップＳ１１−１において、ファクシミリ制御手段１は、着信応答手段２に対して、例えば疑似リングバックトーンのような、着呼側の電話機を呼び出していることを擬似的に知らせるための着信応答信号を、発呼側端末及びスピーカー４へ出力するよう指令する。着信応答手段２は、着信応答信号出力手段１４により着信応答信号を生成し、発呼側端末に出力し、更に、信号増幅手段３を介してスピーカー４に出力する。スピーカー４は、信号増幅器３によって増幅された着信応答信号を用いて呼出音を発生させる。その後、ステップはＳ１２に移る。
【００３３】
スピーカーの前に信号増幅手段を設け、着信応答信号を増幅させることにより、呼出音の音量を増大させることができる。即ち、より確実にユーザーに対して電話機部への着信があったことを知らせることができる。
【００３４】
なお、信号増幅手段として、演算増幅器が用いられても良い。
【００３５】
〔ミュート手段を付加した場合〕
また、図２を参照して説明した上記動作は、図１の通信端末装置において、ミュート手段１５が用いられない場合又は組み込まれていない場合の動作であった。図４を参照して、ミュート手段１５が用いられた（又は、組み込まれた）場合の動作について説明する。図４は、図２のように動作する通信端末装置にミュート手段を付加した場合の動作の一例を説明するフローチャートである。
【００３６】
図１の通信端末装置の動作は、ミュート手段１５を用いた場合では、図２においてステップＳ１０とＳ１１との間に更なるステップＳ１１−０が加えられる。残りのステップについては、どちらの場合も同じである。
【００３７】
Ｓ１からＳ１０までのステップによって発呼側端末が電話機であることが検出された後、ステップＳ１１−０において、ファクシミリ制御手段１は、ミュート手段１５に対して、発呼側端末から入力される受信信号をミュートするよう指令する。これを受けて、ミュート手段１５は、発呼側端末から入力される音声等の受信信号をミュートする。次に、ステップＳ１１において、ファクシミリ制御手段１は、着信応答手段２に対して、例えば疑似リングバックトーンのような、着呼側の電話機を呼び出していることを擬似的に知らせるための着信応答信号を、発呼側端末及びスピーカー４へ出力するよう指令する。これを受けて、着信応答手段２は、着信応答信号出力手段１４により着信応答信号を生成し、発呼側端末及びスピーカー４に出力する。スピーカー４は、着信応答信号を用いて呼出音を発生させる。その後、ステップはＳ１２に移る。
【００３８】
ミュート手段によって発呼側から入力される音声等の受信信号をミュートすることによって、着信応答信号に対するクロストークを低減することができる。即ち、通信端末装置から発呼側端末へ送られる疑似リングバックトーン及びスピーカーから出力される呼出音に、発呼側端末から入力される受信信号が重畳されることを回避することができる。
【００３９】
また、ミュート手段によって発呼側から入力される受信信号に対するクロストークを低減するように、通信端末装置から発呼側端末に出力される音声通知信号及び着信応答信号をミュートしても良い。
【００４０】
〔変形例〕
本発明は、上述した実施例に限定されるものではない。
【００４１】
例えば、電話機部とファクシミリ装置部とは分離独立した装置であっても良く、あるいは、電話機部がファクシミリ装置に内蔵された一体型の装置であっても良い。また、本発明の通信端末装置は、複合機能複写機（ＭＦＰ）等の画像形成装置に組み込まれても良い。
【図面の簡単な説明】
【００４２】
【図１】本発明による通信端末装置の全体構成の一例を表す図である。
【図２】本発明による通信端末装置の動作の一例を説明するフローチャートである。
【図３】図２のように動作する通信端末装置に信号増幅手段を付加した場合の動作の一例を説明するフローチャートである。
【図４】図２のように動作する通信端末装置にミュート手段を付加した場合の動作の一例を説明するフローチャートである。
【符号の説明】
【００４３】
１  ファクシミリ制御手段
２  着信応答手段
３  信号増幅手段
４  スピーカー
５  直流ループ生成手段
６  回線切替手段
７  電話機部
８  回線
９  着信信号検出手段
１０  ＣＮＧ検出手段
１１  電話機オフフック検出手段
１２  タイムカウンタ手段
１３  音声応答出力手段
１４  着信応答信号出力手段
１５  ミュート手段
【図１】
0004759408.tif 000002
【図２】
0004759408.tif 000003
【図３】
0004759408.tif 000004
【図４】
0004759408.tif 000005